(57)【要約】      （修正有）【課題】一枚のダンボール板から作られるダンボール箱であって、所定の大きさの収納物は、四方から出し入れが可能であり、バラの収納物は、収納箱の上部から収納することができ、また四方から取り出すことができる組立式収納箱を提供する。【解決手段】底板１と、その底板１の四方に組み立てられる前側板２ｏ，２ｉ 、後側板３ｏ，３ｉ、左側板４ｌ，５ｌ、右側板４ｒ，５ｒおよび蓋板８ｕ，８ｄよりなり、前側板２ｏと右側板５ｒとの間および後側板３ｏと左側板５ｌとの間には、それらを互いに組立位置に固縛し得る係止手段Ｌが設けられる。【選択図】図７
0003143141.tif 000002
【実用新案登録請求の範囲】
【請求項１】
一枚の板材（Ｐ）よりなる組立式収納箱であって、
底板（１）と、
前記底板（１）の前側縁に沿って起立する前側板（２ｏ，２i ）と、
前記底板（１）の後側縁に沿って起立する後側板（３ｏ，３i ）と、
前記底板（１）の左側縁に沿って起立する左側板（４ｌ，５ｌ）と、
前記底板（１）の右側縁に沿って起立する右側板（４ｒ，５ｒ）と、
前記前側板（２ｏ，２i ）の前側縁および／または後側板の後側縁に沿って開閉可能な蓋板（８ｕ，８ｄ）と、
を備え、
前記前側板（２ｏ，２i ）と、左側板（４ｌ，５ｌ）または右側板（４ｒ，５ｒ）の少なくとも一方との間および前記後側板（３ｏ，３i ）と、右側板（４ｒ，５ｒ）または左側板（４ｌ，５ｌ）の少なくとも一方との間には、それらを互いに組立位置に固縛し得る係止手段（Ｌ）が設けられていることを特徴とする、組立式収納箱。
【請求項２】
一枚の板材（Ｐ）よりなる組立式収納箱であって、
一枚の板材（Ｐ）には、
底板（１）と、
前記底板（１）の前後に折り線を介して接続される外側の前側板（２ｏ）および外側の後側板（３ｏ）と、
前記底板（１）の左右に折り線を介して接続される外側の左側板（５ｌ）および外側の右側板（５ｒ）と、
前記外側の前側板（２ｏ）および外側の後側板（３ｏ）の一側にそれぞれ折り線を介して接続される内側の左側板（４ｌ）および内側の右側板（４ｒ）と、
前記外側の左外側板（５ｌ）および外側の右外側板（５ｒ）の一側に折り線を介してそれぞれ接続される内側の前側板（２i ）および内側の後側板（３i ）と
前記外側の前側板（２ｏ）および外側の後側板（３ｏ）の外側にそれぞれ接続される蓋板（８ｄ，８ｕ）と、
を備え、
外側の前側板（２ｏ）と外側の側板（５ｒまたは５ｌ）の間、および外側の後側板（３ｏ）と外側の側板（５ｌまたは５ｒ）の間には、それらを互いに組立位置に固縛し得る係止手段（Ｌ）が設けられていることを特徴とする、組立式収納箱。
【請求項３】
前記前側板（２ｏ，２i ）、後側板（３ｏ，３i ）、左側板（４ｌ，５ｌ）および右側板（４ｒ，５ｒ）は、いずれも内側板と外側板とが重ね合わされて２重構造とされていることを特徴とする、前記請求項１または２記載の組立式収納箱。
【請求項４】
一枚の板材（Ｐ）よりなる組立式収納箱であって、
一枚の板材（Ｐ）には、
底板（１）と、
前記底板（１）の前後に折り線を介して接続される外側の前側板（２ｏ）および外側の後側板（３ｏ）と、
前記底板（１）の左右に折り線を介して接続される左右側板（５′ｌ，５′ｒ）と、
前記左右側板（５′ｌ，５′ｒ）に折り線を介して接続される左右の内側の前側板（２′i −Ｌ，２′i −Ｒ）と、
前記左右側板（５′ｌ，５′ｒ）に折り線を介して接続される左右の内側の後側板（３′i −Ｌ，３′i −Ｒ）と、
前記外側の前側板（２ｏ）および外側の後側板（３ｏ）の外側にそれぞれ接続される蓋板（８ｄ，８ｕ）と、
を備え、
左右の内側の前側板（２′i −Ｌ，２′i −Ｒ）と、左右の内側の後側板（３′i −Ｌ，３′i −Ｒ）は係合凸部および係合凹部を介して係合され、また外側の前側板（２ｏ）と左右側板（５′ｒまたは５′ｌ）の間、および外側の後側板（３ｏ）と左右側板（５′ｒまたは５′ｌ）の間には、それらを互いに組立位置に固縛し得る、係止手段（Ｌ）が設けられていることを特徴とする、組立式収納箱。
【考案の詳細な説明】
【技術分野】
【０００１】
本考案は、組立時にテープ、ファスナ、接着剤などの接続手段が一切不要であり、組立、解体が簡単、容易であり、物の出し入れがし易く、かつ十分な強度を保有する組立式収納箱に関する。
【背景技術】
【０００２】
従来、一枚の板材より、テープ、接着剤、ファスナなどの接続手段を使用することなく、簡単容易に組み立てることができ、しかも組立、解体が容易であり、さらに解体によって素材を傷つけたり、損傷したりすることがなく再利用が可能であり、また、組み立て後に底板に切目ができることがなく、その切目を封緘するためのテープなども止め手段が不要であり、その上、強度の要求される底板、左、右側板をいずれも２重板として、組立の容易性と、材料の節減を図りながら、所望の強度をもつようにした組立式収納箱は公知である（後記特許文献１参照）。
【特許文献１】実用新案登録第３１３３６６８号
【考案の開示】
【考案が解決しようとする課題】
【０００３】
ところで、前記従来の組立式収納箱は、その上面の出入口から収納物の出し入れを行うので、収納物を収納箱の高さ以上に持ち上げなければならず、収納物の収納箱への出し入れ操作が面倒であり、特に、収納物が重くて大きいときに、その傾向が一層大きくなるという問題がある。
【０００４】
本考案はかかる実情に鑑みてなされたもので、収納物を持ち上げることなく、四方から収納箱内に収容し、また、そこから取り出すことができ、また、「バラ」の収納物を、堅固に組み立てられた収納箱の上方からそこに収納し、また、その「バラ」の収納物を四方から取り出せるようにして、前記問題を解決した新規な組立式収納箱を提供することを目的とする。
【課題を解決するための手段】
【０００５】
前記目的を達成するために、請求項１記載の考案は、一枚の板材よりなる組立式収納箱であって、
底板と、前記底板の前側縁に沿って起立する前側板と、前記底板の後側縁に沿って起立する後側板と、前記底板の左側縁に沿って起立する左側板と、前記底板の右側縁に沿って起立する右側板と、前記前側板の前側縁および／または後側板の後側縁に沿って開閉可能な蓋板とを備え、
前記前側板と、左側板または右側板の少なくとも一方との間および前記後側板と、右側板または左側板の少なくとも一方との間には、それらを互いに組立位置に固縛し得る係止手段が設けられていることを特徴としている。
【０００６】
前記目的を達成するために、請求項２記載の考案は、一枚の板材よりなる組立式収納箱であって、
一枚の板材には、底板と、前記底板の前後に折り線を介して接続される外側の前側板および外側の後側板と、前記底板の左右に折り線を介して接続される外側の左側板および外側の右側板と、前記外側の前側板および外側の後側板の一側にそれぞれ折り線を介して接続される内側の左側板および内側の右側板と、前記外側の左外側板および外側の右外側板の一側に折り線を介してそれぞれ接続される内側の前側板および内側の後側板と、前記外側の前側板および外側の後側板の外側にそれぞれ接続される蓋板とを備え、
外側の前側板と外側の側板の間、および外側の後側板と外側の側板の間には、それらを互いに組立位置に固縛し得る係止手段が設けられていることを特徴としている。
【０００７】
前記目的を達成するために、請求項３記載の考案は、前記請求項１または２記載のものにおいて、前記前側板、後側板、左側板および右側板は、いずれも内側板と外側板とが重ね合わされて２重構造とされていることを特徴としている。
【０００８】
前記目的を達成するために、請求項４記載の考案は、一枚の板材よりなる組立式収納箱であって、
一枚の板材には、底板と、前記底板の前後に折り線を介して接続される外側の前側板および外側の後側板と、前記底板の左右に折り線を介して接続される左右側板と、前記左右側板に折り線を介して接続される左右の内側の前側板と、前記左右側板に折り線を介して接続される左右の内側の後側板と、前記外側の前側板および外側の後側板の外側にそれぞれ接続される蓋板とを備え、
左右の内側の前側板と、左右の内側の後側板は係合凸部および係合凹部を介して係合され、また外側の前側板と側板の間、および外側の後側板と左右側板の間には、それらを互いに組立位置に固縛し得る係止手段が設けられていることを特徴としている。
【考案の効果】
【０００９】
請求項各項記載の考案によれば、所定の大きさの収納物の場合には、この収納物を持ち上げることなく、四方から底板上に置いて収納箱内に収納することができ、またその収納物を持ち上げることなく四方から取り出すことができる。また、収納物が「バラ」の場合には、収納箱の上方から投入収容することができ、その際に、収納箱の前側板、後側板および左右側板は係止手段により固縛されるので、収納箱が変形したり、損傷したりすることがない。またこの収納物は四方から取り出すこともできる。
【００１０】
また、請求項３記載の考案によれば、前側板、後側板、左側板および右側板は、いずれも内側板と外側板とが重ね合わされて２重構造とされているので、収納箱の強度を一層高めることができる。
【考案を実施するための最良の形態】
【００１１】
本考案の実施の形態を、添付図面に例示した本考案の実施例に基づいて以下に具体的に説明する。
【００１２】
図１〜８には、本考案の第１実施例が示されており、この第１実施例は、本考案組立式収納箱を、ダンボール箱に実施した場合であり、図１は、組立式ダンボール箱の組み立て状態の斜視図、図２は、図１の２−２線に沿う断面図、図３は、図１の３−３線に沿う断面図、図４は、図２の４−４線に沿う断面図、図５は、組立式ダンボール箱の展開平面図、図６〜８は、組立式ダンボール箱の組立手順を示す斜視図である。
【００１３】
本考案にかかる組立式収納箱、すなわち組立式ダンボール箱は、一枚のダンボール板Ｐにより構成され、テープ、ファスナ、接着剤などの接続手段を用いることなく、図１に示すように、直方体状に組み立てられ、６面、すなわち底板、前後側板、左右側板および蓋板がいずれも二重板であって、十分の強度を保有しており、ダンボール箱を構成するダンボール板Ｐは、一枚のダンボール原紙を所定の形状に裁断して作られ、このダンボール板を折り線に沿って折り込むことによりダンボール箱が組み立てられる。
【００１４】
図５には、ダンボール箱を一平面の展開した状態が示されており、この図５において、折り線は２点鎖線で示される。
【００１５】
ダンボール板Ｐは、その中央部に長方形状の底板１を有し、この底板１の相対向する前、後縁には折り線を介して外側の前側板２ｏおよび外側の後側板３ｏがそれぞれ接続される。前記底板１の左、右縁には折り線を介して外側の左、右側板５ｌ，５ｒがそれぞれ接続される。
【００１６】
外側の前側板２ｏの左縁には折り線を介して内側の左側板４ｌが、また外側の後側板３ｏの右縁には、折り線を介して内側の右側板４ｒが、それぞれ接続される。外側の左側板５ｌの後縁には折り線を介して内側の後側板３i が接続され、また外側の右側板５ｒの前縁には、内側の前側板２i が接続される。
【００１７】
外側の前側板２ｏの前縁には折り線を介して下側の蓋板８ｄが接続され、また外側の後側板３ｏの後縁には折り線を介して上側の蓋板８ｕが接続される。
【００１８】
外側の前側板２ｏと外側の右側板５ｒには、それらを組立位置に固縛する係止手段Ｌが設けられる。すなわち、外側の前側板２ｏの右縁の中間部には、コ字状の舌片よりなる雄部材Ｍが切り込み形成され、一方、外側の右側板５ｒの前縁の中間部には、スリットよりなる雌部材Ｆが形成され、これらの雄部材Ｍと雌部材Ｆとは、後に述べるように、外側の前側板２ｏと外側の右側板５ｒの起立組立時に互いに密に差込係合されてそれらを組立位置に固縛することができる。
【００１９】
同じく、外側の後側板３ｏと外側の左側板５ｌには、それらを組立位置に固縛する係止手段Ｌが設けられる。すなわち、外側の後側板３ｏの左縁の中間部には、コ字状の舌片よりなる雄部材Ｍが切り込み形成され、一方、外側の左側板５ｌの後縁の中間部には、スリットよりなる雌部材Ｆが形成され、これらの雄部材Ｍと雌部材Ｆとは、後に述べるように、外側の後側板３ｏと外側の左側板５ｌの起立組立時に互いに密に差込係合されてそれらを組立位置に固縛することができる。
【００２０】
下側の蓋板８ｄと外側の前側板２ｏ間の折り線中央部には、差込孔１６が開口され、また上側の蓋板８ｕの外縁の中央部には、その差込孔１６に抜差自在に差し込まれる差込舌片１７が外側に向けて一体に形成される。
【００２１】
図５に示すように、ダンボール紙Ｐとは別に、重ね底板７が用意され、この重ね底板７は、必要に応じて底板１上の重ね合わされて、２重底とされる。
【００２２】
つぎに、図５〜８を参照して、展開状態のダンボール板Ｐから、ダンボール箱を組み立てる手順について説明する。
【００２３】
(1) まず、展開状態のダンボール板Ｐを設置面上に置く。底板１上には、必要に応じて重ね底板７を重ねる。そして、底板１上に収納すべき収納物Ｏを置く。この場合、四方が開放されているので、収納物Ｏを底板１上に置き易い。
【００２４】
図６に示すように、内側の後側板３i を折り線に沿って内側に折り曲げると共に外側の左側板５ｌを折り線に沿って内側に略直角に折り曲げる。ついで、外側の後側板３ｏを内側の後側板３i に重なり合うように折り線に沿って折り曲げる。このとき、係止手段Ｌを構成する雄部材Ｍと雌部材Ｆとを密に差込係合させ、外側の左側板５ｌと外側の後側板３ｏを起立位置に固縛する。
【００２５】
(2) つぎに、図７に示すように、内側の右側板４ｒを折り線に沿って内側に折り曲げると共に外側の右側板５ｒを内側の右側板４ｒに重なるように折り線に沿って折り曲げ、ついで、内側の前側板２i を折り線に沿って内側に折り曲げ、ついで、内側の左側板４ｌを外側の左側板５ｌの内側に重なるように折り線に沿って折り曲げると共に外側の前側板２ｏを折り線に沿って内側の前側板２i と重なるように折り曲げる。このとき、係合手段Ｌの、雄部材Ｍと雌部材Ｆとを差込係合すれば、外側の前側板２ｏと外側の右側板５ｒを組立位置に固縛することができる。
【００２６】
(3) 以上により、図８に示すように、内外側の前側板２i ，２ｏ、内外側の左側板４ｌ，５ｌ、および内外側の右側板４ｒ，５ｒは、いずれも相互に重なり合って２重構造に組み立てられ、それらは係止手段Ｌにより組立位置に固縛されてダンボール箱が組み立てられる。そして、その上面の出入口から「バラ」の収納物Ｏ′を投入収容することが可能になる。下側の蓋板８ｄおよび上側の蓋板８ｕを折り線に沿って順次に折り曲げることで、出入口は２重構造の蓋板により閉じられる。
【００２７】
差込舌片１６を、差込孔１７に差し込むことにより、図１に示すように、ダンボール箱の組み立てが終了する。
【００２８】
つぎに図９〜１２を参照して本考案の第２実施例について説明する。この第２実施例も本考案組立式収納箱を、ダンボール箱に実施した場合であり、図９は、組立式ダンボール箱の組み立て状態の斜視図、図１０は、組立式ダンボール箱の展開平面図、図１１，１２は、組立式ダンボール箱の組立手順を示す斜視図である。
【００２９】
なお、この第２実施例において、前記第１実施例と同じものには同じ符号が付される。      
【００３０】
図１０には、ダンボール箱を一平面の展開した状態が示されており、そのダンボール板Ｐは、その中央部に長方形状の底板１を有し、この底板１の相対向する前、後縁には折り線を介して外側の前側板２ｏおよび外側の後側板３ｏがそれぞれ接続される。前記底板１の左、右縁には折り線を介して左、右側板５′ｌ，５′ｒがそれぞれ接続される。
【００３１】
内側の前側板２′i は、左右の内側前側板２′i −Ｌ、２′i −Ｒとに分割されており、左の内側前側板２′i −Ｌは、左側板５′ｌに折り線を介して接続され、右の内側前側板２′i −Ｒは、右側板５′ｒに折り線を介して接続される。そして、左右の内側の前側板２′i −Ｌ，２′i −Ｒの前縁には、互いに係合可能な鳩尾状の係合凸部１１と係合凹部１２が設けられ、左の内側の前側板２′i −Ｌは右の内側の前側板２′i −Ｒよりも大きく形成されており、左右の内側の前側板２′i −Ｌ，２′i −Ｒとで、外側の前側板２ｏと同じ面積となる。
【００３２】
また、内側の後側板３′i も左右の内側後側板内３′i −Ｌ，３′i −Ｒとに分割されており、左の内側後側板内３′i −Ｌは、左側板５′ｌに折り線を介して接続され、右の内側前側板３′i −Ｒは、右側板５′ｒに折り線を介して接続されている。そして、左右の内側の後側板３′i −Ｌ，３′i −Ｒの前縁には、互いに係合可能な鳩尾状の係合凸部１１と係合凹部１２が設けられ、右の内側の後側板３′i −Ｒは左の内側の後側板３′i −Ｌよりも大きく形成されており、左右の内側の後側板３′i −Ｌ，３′i −Ｒとで、外側の後側板３ｏと同じ面積になる。
【００３３】
外側の前側板２ｏの左右の側縁と左右の内側板５′ｌ，５′ｒの前縁および外側の後側板３ｏの左右側縁と左右の内側の内側板５′ｌ，５′ｒの後縁には、雄部材Ｍと雌部材Ｆとよりなる係止手段Ｌがそれぞれ設けられる。さらに、上側の蓋板８ｕの左右側縁と左右の内側板５′ｌ，５′ｒの側縁との間に雄部材Ｍと雌部材Ｆとよりなる係止手段Ｌが設けられる。
【００３４】
つぎに、図１０〜１２を参照して、展開状態のダンボール板Ｐから、ダンボール箱を組み立てる手順について説明する。
【００３５】
(1) 展開状態のダンボール板Ｐ′を設置面上に置く。底板１上には、必要に応じて重ね底板７を重ねる。そして、底板１上に収納すべき収納物品Ｏを置く。この場合、四方が開放されているので、収納物品Ｏを底板１上に置き易い。
【００３６】
図１１に示すように、左右の分割されている左右の内側後側板３′i −Ｌ，３′i −Ｒを折り線に沿って折り曲げ、外側の後側板３ｏの内側に組み付ける。このとき、左右の内側後側板３′i −Ｌ，３′i −Ｒの対向縁に位置する係合凸部１１と係合凹部１２とを係合することにより、それらは一体化されてそこに外力が作用してもそれらが分離することがない。また係止手段Ｌを構成する雄部材Ｍと雌部材Ｆとが差込係合されて外側の後側板３ｏと左右の側板５′ｌ，５′ｒとが固縛される。
【００３７】
(2) つぎに、左右側板５′ｌ，５′ｒに接続される左右の内側の前側板２′i −Ｌ，２′i −Ｒを内側に折り込んで、それらの対向縁に位置する係合凸部１１と係合凹部１２とを係合することにより、それらは一体化されてそこに外力が作用してもそれらが分離することがない。ついで、外側の前側板２ｏを起立して内側の前側板２′i に重ね合せ、係止手段Ｌを構成する雄部材Ｍと雌部材Ｆとを差込係合させる。これにより、図１２に示すように、出入口の開放されたダンボールが組み立てられる。このとき互いに係合する係合凸部１１と係合凹部１２は、ダンボール箱の前後で左右にずらしてあるので、ダンボール箱の強度が一層高められる。
【００３８】
(3) 以上により、図１２に示すように、内外側の前側板２i ，２ｏ、内外側の後側板３i ，３ｏはいずれも相互に重なり合って２重構造に組み立てられ、それらは係止手段Ｌ１，Ｌ２により組立位置に固縛されてダンボール箱が組み立てられる。そして、その上面の出入口から「バラ」の収納物Ｏ′を投入収容することができる。出入口は、下側の蓋板８ｄおよび上側の蓋板８ｕを折り線に沿って順次に折り曲げることで２重構造の蓋板により閉じられる。上側の蓋板８ｕと左右の側板５′ｌ，５′ｒは雄部材Ｍと雌部材Ｆよりなる係止手段Ｌにより固縛され、また差込舌片１６を、差込孔１７に差し込まれて、図９に示すように、ダンボール箱の組み立てが終了する。
【００３９】
以上、一枚のダンボール板よりテープ、接着剤、ファスナなどを接続手段を一切必要とすることなく、組立、解体がきわめて簡単、容易であり、解体によって素材を傷つけたり、損傷したりすることがないので、再利用が可能である。また、組み立て後に底板に切目ができることがなく、その切目を封緘するためのテープなどの止め手段が不要である。
【００４０】
以上、本考案の実施例について説明したが、本考案はその実施例に限定されることなく、本考案の範囲内で種々の実施例が可能である。
【００４１】
たとえば、前記実施例では、本考案組立式収納箱を、ダンボール板よりなるダンボール箱とした場合について説明したが、これを他の紙板、合成樹脂板、木板など他の板材により構成してもよいことは勿論である。
【図面の簡単な説明】
【００４２】
【図１】組立式ダンボール箱の組み立て状態の斜視図
【図２】図１の２−２線に沿う断面図
【図３】図１の３−３線に沿う断面図
【図４】図２の４−４線に沿う断面図
【図５】組立式ダンボール箱の展開平面図
【図６】組立式ダンボール箱の組立手順を示す斜視図
【図７】組立式ダンボール箱の組立手順を示す斜視図
【図８】組立式ダンボール箱の組立手順を示す斜視図
【図９】本考案の第２実施例に係る、組立式ダンボール箱の組み立て状態の斜視図
【図１０】本考案の第２実施例に係る、組立式ダンボール箱の展開平面図
【図１１】本考案の第２実施例に係る、組立式ダンボール箱の組立手順を示す斜視図
【図１２】本考案の第２実施例に係る、組立式ダンボール箱の組立手順を示す斜視図
【符号の説明】
【００４３】
１・・・・・・・・・底板
２i ・・・・・・・・前側板（内側の前側板）
２ｏ・・・・・・・・前側板（外側の前側板）
２′i −Ｌ・・・・・左の内側の前側板
２′i −Ｒ・・・・・右の内側の前側板
３i ・・・・・・・・後側板（内側の後側板）
３ｏ・・・・・・・・後側板（外側の後側板）
３′i −Ｌ・・・・・左の内側の後側板
３′i −Ｒ・・・・・右の内側の後側板
４ｌ・・・・・・・・内側の左側板
４ｒ・・・・・・・・内側の右側板
５ｌ・・・・・・・・外側の左側板
５ｒ・・・・・・・・外側の右側板
５′ｌ・・・・・・・左側板
５′ｒ・・・・・・・右側板
８ｕ・・・・・・・・蓋板（上側の蓋板）  
８ｄ・・・・・・・・蓋板（下側の蓋板）
Ｐ・・・・・・・・・ダンボール板（板材）
Ｌ・・・・・・・・・係止手段
【図１】
0003143141.tif 000003
【図２】
0003143141.tif 000004
【図３】
0003143141.tif 000005
【図４】
0003143141.tif 000006
【図５】
0003143141.tif 000007
【図６】
0003143141.tif 000008
【図７】
0003143141.tif 000009
【図８】
0003143141.tif 000010
【図９】
0003143141.tif 000011
【図１０】
0003143141.tif 000012
【図１１】
0003143141.tif 000013
【図１２】
0003143141.tif 000014